(57)【要約】【課題】  上げ下ろしの際に工具袋が振れるのを確実に防止する。【解決手段】  工具Ｔを収納するための収納袋２と、収納袋２に連結され、収納袋２を地表側から高所へ引き上げるための通い綱３と、収納袋２の移動方向に沿って延び、一方が地表側に固定されるとともに、他方が高所側に固定される支持ロープ４と、収納袋２に固定され、支持ロープ４に移動可能に保持されるフック金具５と、を備えた。【選択図】  図１
2012020831.tif 000002
【特許請求の範囲】
【請求項１】
地表側から高所へ工具等を運搬するための高所用運搬具であって、
前記工具等を収納するための収納袋と、
前記収納袋に連結され、前記収納袋を前記地表側から前記高所へ引き上げるための第１のロープ状部材と、
前記収納袋の移動方向に沿って延び、一方が前記地表側に固定されるとともに、他方が前記高所側に固定される第２のロープ状部材と、
前記収納袋に固定され、前記第２のロープ状部材に移動可能に保持されるガイド具と、
を備えたことを特徴とする高所用運搬具。
【請求項２】
前記ガイド具には、前記収納袋の高所への引き上げ時に、前記収納袋の下降方向の動きによって前記第２のロープ状部材を把持し前記収納袋の落下を阻止する落下防止手段が設けられていることを特徴とする請求項１に記載の高所用運搬具。
【発明の詳細な説明】
【技術分野】
【０００１】
この発明は、地表から高所に工具等を運搬する高所用運搬具に関する。
【背景技術】
【０００２】
鉄塔などの高所での作業に工具を使用する場合に、工具を入れた収納袋に通い綱（上げ下ろし用ロープ）を取り付け、それを高所から手繰り寄せて収納袋を引き上げる方法が用いられている。具体的には、高所で作業を行う作業者（高所側作業者）が地表に通い綱を懸垂し、地表にいる作業者（地表側作業者）が収納袋に通い綱と振り止め防止用ロープとを取り付け、工具を収納袋に収納する。そして、高所側作業者が通い綱を手繰り寄せて収納袋を引き上げて工具を高所に運搬するが、このとき、地表側作業者が振り止め防止用ロープを保持する。すなわち、工具袋の上げ下ろしの際に、工具袋が充電部（通電部）に接近、接触したり、鉄塔に引っかかったりしないように、振り止め防止用ロープで工具袋の振れを抑制している。
【０００３】
ここで、高所へ工具を運搬する技術として、袋本体に主ひもを取り付け、２本の補助ひもを対称に配置した工具袋が知られている（例えば、特許文献１参照。）。さらに、運搬した工具袋を高所に設置する技術として、変圧器のハンガ座の平面部を取り付ける取付装置とこの外面部に立設される棒状部材とを有する電柱設置装置が知られている（例えば、特許文献２参照。）。
【先行技術文献】
【特許文献】
【０００４】
【特許文献１】特開２００８−１７４２７１号公報
【特許文献２】特開２００７−１５９２７０号公報
【発明の概要】
【発明が解決しようとする課題】
【０００５】
ところで、このような運搬方法は、スパナやドライバなどの柄が長く重い工具を運搬している際に、工具の自重や強風などにより、工具袋が傾いて工具が地表に落下するおそれがある。このため、上記のように地表で地表側作業者が振り止め防止用ロープを操作この方法では、工具が地表側作業者に落下するおそれがある。
【０００６】
また、特許文献１の技術では、工具袋を上げ下ろしする際に、工具袋が振られる可能性があり、さらに、地表側作業者が振り止め防止用ロープを保持しなければならない。また、特許文献２の技術は、電柱上部での作業において工具袋を保持する装置であり、特許文献１の技術と同様に、工具袋の振れを防止することはできない。
【０００７】
そこで本発明は、上げ下ろしの際に工具袋が振れるのを確実に防止することが可能な高所用運搬具を提供することを目的とする。
【課題を解決するための手段】
【０００８】
上記目的を達成するために請求項１に記載の発明は、地表側から高所へ工具等を運搬するための高所用運搬具であって、前記工具等を収納するための収納袋と、前記収納袋に連結され、前記収納袋を前記地表側から前記高所へ引き上げるための第１のロープ状部材と、前記収納袋の移動方向に沿って延び、一方が前記地表側に固定されるとともに、他方が前記高所側に固定される第２のロープ状部材と、前記収納袋に固定され、前記第２のロープ状部材に移動可能に保持されるガイド具と、を備えたことを特徴とする高所用運搬具である。
【０００９】
この発明によれば、第２のロープ状部材の一方を地表側に、他方を高所側に取り付ける。続いて、第２のロープ状部材にガイド具を取り付けた状態で、第１のロープ状部材で収納袋を高所へ引き上げる。これにより、収納袋が第２のロープ状部材に沿って地表から高所へ移動する。
【００１０】
請求項２に記載の発明は、請求項１に記載の高所用運搬具において、前記ガイド具には、前記収納袋の高所への引き上げ時に、前記収納袋の下降方向の動きによって前記第２のロープ状部材を把持し前記収納袋の落下を阻止する落下防止手段が設けられていることを特徴とする。
【発明の効果】
【００１１】
請求項１に記載の発明によれば、収納袋は第２のロープ状部材に沿って引き上げられるため、工具を高所に運搬する際に、収納袋が振られることを防止することが可能となる。しかも、第２のロープ状部材にガイド具が保持された状態で収納袋が高所に引き上げられるため、地表側作業者が振れ止め防止用ロープを保持する必要がなく、地表側作業者の作業負担を軽減するとともに、安全性を確保することが可能となる。
【００１２】
請求項２に記載の発明によれば、ガイド具に落下防止手段が設けられているため、収納袋を高所に引き上げている途中で、高所側作業者が誤って第１のロープ状部材を離してしまった場合などでも、収納袋が地表へ落下することを防止することができる。
【図面の簡単な説明】
【００１３】
【図１】本発明の実施の形態に係わる高所用運搬具の斜視図である。
【図２】図１の高所用運搬具におけるフック金具の拡大斜視図である。
【図３】図２のフック金具にストッパを装着した状態を示す拡大側面図である。
【図４】図３に示すストッパの挟持部が支持ロープを挟持した状態を示すストッパの拡大断面図である。
【図５】図１の高所用運搬具における挟持部の拡大斜視図である。
【図６】図１の高所用運搬具を用いて工具を運搬する状態を示す図である。
【発明を実施するための形態】
【００１４】
次に、この発明の実施の形態について、図面を用いて詳しく説明する。
【００１５】
図１ないし図５は、本発明の実施の形態を示している。この高所用運搬具１は、地表側から鉄塔側（高所側）などへ工具等を運搬する道具であり、主として、収納袋２と、収納袋２に連結させる通い綱（第１のロープ状部材）３と、地表側と高所側との間に固定される支持ロープ（第２のロープ状部材）４と、収納袋２に固定されるフック金具（ガイド具）５と、フック金具５に装着されるストッパ（落下防止手段）６とを備えている。
【００１６】
収納袋２は、図１に示すように、内側にスパナやドライバなどの工具Ｔを収納可能な有底円筒形状をしており、例えば、布あるいは合成樹脂などから構成されている。この収納袋２は、側壁２１と、底部２２と、連結ロープ２３とを備えている。
【００１７】
側壁２１は、１枚の布などを円筒状に成型し、この円筒の高さは、柄を備えた工具Ｔであっても収納袋２に収納することが可能な高さに設定されている。収納袋２の上部は、円形に開口しており、その直径が、例えば３０ｃｍに設定されている。さらに、その周縁は袋状になっており、その内側にはリング状の補強具（図示しない。）が収納されている。この補強具は、プラスチックや金属などの硬質な材料から構成されている。側壁２１の上部には、２つの挿入孔２１ａが対向して形成され、この挿入孔２１ａに連結ロープ２３の両端部が挿入されている。
【００１８】
底部２２は、１枚の円形状の布であり、縫合するなどして側壁２１に接続されている。さらに、底部２２の周縁は、袋状になっており、その内側には底部２２と同一の径を有するリング状の補強具（図示しない。）が収納されている。
【００１９】
連結ロープ２３は、引張り強度の高い合成繊維をロープ状に編みこんだものであり、かつあらゆる方向に屈曲自在となっている。その長さは、所定の弛み（弛度）を有する程度に設定され、両端部が挿入孔２１ａに挿入され、固定綱２３ａで側壁２１に固定されている。さらに、連結ロープ２３は、収納袋２に工具Ｔを収納し、中央に位置する連結部２３ｂを基点として引き上げた場合に、引きちぎれない程度の強度を有している。
【００２０】
通い綱３は、工具Ｔを収納した収納袋２を地表側から鉄塔側に引き上げるためのロープである。通い綱３は、例えば引張り強度の高い合成繊維をロープ状に編みこんだものから構成され、軽量であり、かつあらゆる方向に屈曲自在となっている。通い綱３の引張り強度は、工具Ｔを収納した収納袋２に連結させて引き上げる際に、工具Ｔと収納袋２の重さによって通い綱３が引きちぎれないように、十分大きく設定されている。そして、通い綱３の全長は、地表側から鉄塔側までの距離よりもやや長く設定されている。
【００２１】
支持ロープ４は、一端部を鉄塔側に他端部を地表側に固定し、収納袋２を上下方向に移動可能に支持するロープである。この支持ロープ４は、通い綱３と同様に、例えば引張り強度の高い合成繊維をロープ状に編みこんだものから構成され、軽量であり、かつあらゆる方向に屈曲自在となっている。その全長は、地表から鉄塔上の作業場所までの距離に応じて設定され、複数のロープ４を着脱自在に連結して、作業場所までの距離に応じて長さを調整可能となっている。
【００２２】
フック金具５は、収納袋２が支持ロープ４に沿って移動するよう収納袋２に固定された金具であり、図１に示すように、底部２２側の補強具上と、開口側の補強具上とに固定されている。このフック金具５は、耐腐食性が高い材料、例えばステンレス鋼などの棒材から構成され、図２に示すように、棒材をコイル状に一周半ほど巻いて、豚の尻尾のように形成されている。このように形成されたコイル状の開口空間Ｈとその内径Ｄは、支持ロープ４の径よりも大きく設定され、支持ロープ４を開口空間Ｈから挿入して内径Ｄ内に装着できるようになっている。また、コイル状に一周半ほど巻かれているために、一度装着された支持ロープ４がフック金具５から外れ難いようになっている。
【００２３】
そして、それぞれの軸心が一致するように、２つのフック金具５が収納袋２の上下方向に配置されている。すなわち、２つのフック金具５に支持ロープ４を装着した状態で、支持ロープ４が収納袋２の軸心と平行になるように配置されている。ここで、この実施の形態では、フック金具５内にストッパ６が装着されるため、フック金具５の内径Ｄは、ストッパ６を装着・嵌合可能な径に設定されている。
【００２４】
ストッパ６は、フック金具５の環状部５ａに取り付けられ、収納袋２が地表に落下することを防止するものであり、嵌合体６１と、挟持体６２と、回転ストッパ６３とを備えている。
【００２５】
嵌合体６１は、図４に示すように、下面部６１ｂが上面部６１ａよりも小さい円錐台状で、フック金具５の環状部５ａ内に嵌め込まれた状態で装着され、耐腐食性の高いステンレス鋼などから構成されている。この嵌合体６１内には、略円錐台状の挿入空間６１ｃが形成され、この挿入空間６１ｃ内に、挿入空間６１ｃとほぼ同形状の挟持体６２が挿入されている。
【００２６】
挟持体６２は、図５に示すように、第１の挟持部６２１と第２の挟持部６２２とを重ね合わせた円錐台状で、それぞれの重ね合わせ面に、半円形の挟持面部６２ａが軸方向に沿って形成され、この挟持面部６２ａで支持ロープ４が挟持されるようになっている。さらに、図４に示すように、挟持面部６２ａの内面には、凹凸状の滑り止めが形成され、支持ロープ４を強固に挟持するようになっている。
【００２７】
また、第１の挟持部６２１と第２の挟持部６２２の底面側に、それぞれ付勢バネ６４が配置された状態で、カバー６５が嵌合体６１の下面部６１ｂに取り付けられ、これにより、挟持部６２１、６２２が常に上方に押し上げられている。そして、収納袋２が支持ロープ４に沿って上方向に移動する場合には、この移動に伴って嵌合体６１が上昇し、付勢バネ６４の押圧によって挟持体６２も上昇する。このとき、挟持体６２の挟持面部６２ａと支持ロープ４との間には隙間が形成され、スムーズにストッパ６が上昇するようになっている。一方、収納袋２が下がろうとすると、その自重によって嵌合体６１も下がろうとするが、その挿入空間６１ｃによって挟持部６２１、６２２が支持ロープ４側に押圧される。これにより、挟持面部６２ａ、６２ａによって支持ロープ４が挟持され、ストッパ６および収納袋２の下降・落下が防止される。
【００２８】
また、嵌合体６１の上面部６１ａには、棒状で水平方向に回動可能な回転ストッパ６３が設けられ、挟持部６２１、６２２の上面には、上面部６１ａから突出する押圧体６６が形成されている。そして、押圧体６６を下方に押して回転ストッパ６３を回転させ、回転ストッパ６３で押圧体６６を押さえることで、挟持部６２１、６２２が下方に位置し、挟持面部６２ａ、６２ａによる支持ロープ４の挟持が開放された状態（フリー状態）が、維持されるようになっている。
【００２９】
次に、このような構成の高所用運搬具１の作用などについて説明する。
【００３０】
まず、図６に示すように、鉄塔１００で作業を行う作業者（高所側作業者）Ｍ２が、作業場所まで支持ロープ４を運搬し、鉄塔１００の腕金などに支持ロープ４の一方端部を縛り付けて固定する。次に、支持ロープ４の他端部を地表側に向けて懸垂し、地表で作業を行う作業者（地表側作業者）Ｍ１が、上記のようにしてフリー状態にしたストッパ６内に支持ロープ４を挿入する。さらに、地表側作業者Ｍ１は、支持ロープ４の他端部をアンカーや杭によって地表に固定する。このとき、地表上の固定位置から高所の固定位置まで、支持ロープ４が直線的に張られ、一定の張力がかかるように配設、固定する。
【００３１】
次に、高所側作業者Ｍ２は、鉄塔１００の作業場所まで通い綱３の自由端部側（非収納袋２側）を運搬し、その後、地表側作業者Ｍ１は、回転ストッパ６３を回してストッパ６のフリー状態を解除する。このようにして高所用運搬具１の設置が完了したら、地表側作業者Ｍ１が、収納袋２内に工具Ｔを収納し、高所側作業者Ｍ２が、通い綱３を手繰り寄せて収納袋２を引き上げ、収納袋２内から工具Ｔを取り出す。このとき、高所側作業者Ｍ２が誤って手を離したとしても、上記のようにしてストッパ６によって、収納袋２の落下が防止される。また、工具Ｔの使用が完了した場合には、高所側作業者Ｍ２が、収納袋２内に工具Ｔを収納し、ストッパ６をフリー状態にして、通い綱３を降ろしていき、収納袋２を地表まで下げる。このようにして、作業に必要な工具Ｔの上げ、下げを行うものである。
【００３２】
以上のように、この高所用運搬具１によれば、支持ロープ４に沿って、収納袋２が地表側から鉄塔１００側へ移動するため、収納袋２が振られずに安定して高所へ引き上げることが可能となり、収納袋２が充電部に接触したり、収納袋２が傾いて工具Ｔが落下することを防止することができる。また、支持ロープ４の他端部を地表に固定するため、地表側作業者Ｍ１が収納袋２に取り付けたロープを保持する必要がなく、地表側作業者Ｍ１の作業負担を軽減し、かつ安全性を確保することができる。
【００３３】
さらに、ストッパ６を備えているため、高所側作業者Ｍ２が収納袋２を引き上げている際に、誤って通い綱３から手を離してしまった場合であっても、収納袋２が地表側に落下することを防止できる。また、支持ロープ４は、地表に対して垂直に設置するだけでなく斜めに傾けて設置することもできる。このため、図６に示すように、鉄塔１００と地表との間に川Ｒが流れている場合であっても、支持ロープ４を傾いた状態で固定し、支持ロープ４に沿って収納袋２を安定して引き上げることができる。
【００３４】
以上、この発明の実施の形態を詳述してきたが、具体的な構成は上記の実施の形態に限られるものではなく、この発明の要旨を逸脱しない範囲の設計の変更等があっても、この発明に含まれる。例えば、本実施の形態において、高所側作業者Ｍ２が通い綱３を手繰り寄せて収納袋２を引き上げているが、高所の作業場所に滑車を取り付け、滑車を介して通い綱３を巻き上げたり、電動リールで巻き上げるようにしてもよい。また、支持ロープ４の他端部を地表に固定しているが、鉄塔１００の形状、構造などによっては、鉄塔１００の下部に固定してもよい。さらに、収納袋２は上部が開口しているが、側面に開口部を設け、そこから工具Ｔを収納するようにしてもよい。
【符号の説明】
【００３５】
１                高所用運搬具
２                収納袋
２１              側壁
２２              底部
２３              連結ロープ
３                通い綱（第１のロープ状部材）
４                支持ロープ（第２のロープ状部材）
５Ａ              第１のフック金具（ガイド具）
５Ｂ              第２のフック金具（ガイド具）
６１              嵌合体
６２              挟持体
６３              回転ストッパ
Ｔ                工具（工具等）
【図１】
2012020831.tif 000003
【図２】
2012020831.tif 000004
【図３】
2012020831.tif 000005
【図４】
2012020831.tif 000006
【図５】
2012020831.tif 000007
【図６】
2012020831.tif 000008